(57)【要約】【課題】  厨房等から排出される排水に含まれる油分を分離するグリストラップと厨房等の室内空間とを含む範囲全体を一つのオゾン発生器で浄化する。【解決手段】  オゾンを発生させてオゾン及び空気の混合気を作出するオゾナイザー１２４と、このオゾナイザー１２４で発生させた前記混合気をグリストラップ２０内に放出する放出管３１、３２と、前記オゾナイザー１２４で発生させた前記混合気を大気中に排出する正面排気口１１４と、前記放出管３１、３２から放出される混合気の量と正面排気口１１４から放出される混合気の量の比率を制御する制御部５０及び電磁弁１２５とを備える。【選択図】      図３
2005246354.tif 000002
【特許請求の範囲】
【請求項１】
オゾンを発生させるオゾン発生部と、
前記オゾン発生部で発生させたオゾンを排水中の油を分離する油分離器に放出する第一の放出部と、
前記オゾン発生部で発生させたオゾンを大気中に排出する第二の放出部と、
前記第一の放出部と第二の放出部とから放出されるオゾン量の比率を制御する放出量制御部とを備えた
ことを特徴とする浄化装置。
【請求項２】
請求項１記載の浄化装置において、
前記放出量制御部は、前記第一の放出部から前記オゾンを前記油分離器に対し放出した後に、前記第二の放出部から前記オゾンを前記大気中に対し放出するように切り替える構成とされた
ことを特徴とする浄化装置。
【請求項３】
請求項１又は２記載の浄化装置において、
前記第一の放出部及び第二の放出部には、前記オゾンの放出を補助する送風部がそれぞれ設けられたことを特徴とする浄化装置。
【請求項４】
請求項１〜３のいずれか１項に記載の浄化装置において、
前記オゾン発生部に導入される空気を除湿する除湿部を備えるとともに、
前記オゾン発生部に、前記除湿部から導入される空気中で放電してオゾンを発生させることを可能にする放電部を備えた
ことを特徴とする浄化装置。
【請求項５】
請求項４記載の浄化装置において、
前記除湿部内の湿気を除去するための加熱器と、この加熱器を制御する加熱器制御部と、前記オゾン発生部でオゾンを発生させる量を制御するオゾン発生量制御部とを備え、
前記加熱器制御部は、前記オゾン発生量制御部で前記オゾンの発生を行わないように制御したときに、前記加熱器を加熱して前記除湿部内の湿気を除去するように構成された
ことを特徴とする浄化装置。
【発明の詳細な説明】
【技術分野】
【０００１】
本発明は、オゾンを発生させ、このオゾンを用いて室内やグリストラップを浄化する浄化装置に関するものである。
【背景技術】
【０００２】
飲食業の厨房等から排出される排水には大量の油分が含まれており、水質汚染防止の観点からそのままの状態で排水することが出来ない。そこで、前記厨房やその周辺にグリストラップと称する油分離器を設置し、前記排水を一度にこのグリストラップに入れて油分を除去し、その状態で下水道等に対し排水している。
【０００３】
このグリストラップには、前記排水や前記排水から分離された油分が存在することになり、かかる排水や油分の存在により微生物やハエ等の昆虫類が繁殖しやすくなる。そして、この微生物や昆虫類が繁殖することにより、衛生上悪影響を与えたり、このグリストラップから悪臭を放ったりすることになる。
【０００４】
そこで、このような問題を解決すべく、オゾンを発生させ、このオゾンを含ませた空気を前記グリストラップ内に送り込んで前記微生物や昆虫等を殺菌及び殺虫してこのグリストラップを浄化する浄化装置が開発されている（例えば特許文献１）。
【特許文献１】特開平１３−１６２２９４号公報
【発明の開示】
【発明が解決しようとする課題】
【０００５】
前記浄化装置では、前記浄化の効果が及ぶ範囲は、前記グリストラップ内が主となり、その他の部分にはこの浄化効果はほとんど及ばない。また、前記オゾンを含ませた空気を前記グリストラップ内に送り込んだとき、かかる空気によって前記グリストラップ内の一部の排水が、大気中に飛び散り、それをきっかけにして前記微生物等も大気中に飛散するおそれがある。したがって、特に厨房などの部屋の床にグリストラップが設置されているような場合、グリストラップと前記部屋とを含む範囲全体に対する前記浄化効果は完全とはいえず、この浄化効果をさらに向上させた浄化装置が求められていた。
【０００６】
そこで本発明は、前記グリストラップに代表される油分離器と前記部屋とを含む範囲全体に対する浄化効果をさらに向上させ、しかも、一つのオゾン発生部だけで浄化効果を高める浄化装置を提供することを目的とする。
【課題を解決するための手段】
【０００７】
請求項１記載の発明は、オゾンを発生させるオゾン発生部と、前記オゾン発生部で発生させたオゾンを排水中の油を分離する油分離器に放出する第一の放出部と、前記オゾン発生部で発生させたオゾンを大気中に排出する第二の放出部と、前記第一の放出部と第二の放出部とから放出されるオゾン量の比率を制御する放出量制御部とを備えたことを特徴とする浄化装置である。
【０００８】
請求項２記載の発明は、請求項１記載の浄化装置において、前記放出量制御部は、前記第一の放出部から前記オゾンを前記油分離器に対し放出した後に、前記第二の放出部から前記オゾンを前記大気中に対し放出するように切り替える構成とされたことを特徴とする。
【０００９】
請求項３記載の発明は、請求項１又は２記載の浄化装置において、前記第一の放出部及び第二の放出部には、前記オゾンの放出を補助する送風部がそれぞれ設けられたことを特徴とする。
【００１０】
請求項４記載の発明は、請求項１〜３のいずれか１項に記載の浄化装置において、前記オゾン発生部に導入される空気を除湿する除湿部を備えるとともに、前記オゾン発生部に、前記除湿部から導入される空気中で放電しオゾンを発生させることを可能にする放電部を備えたことを特徴とする。
【００１１】
請求項５記載の発明は、請求項４記載の浄化装置において、前記除湿部内の湿気を除去するための加熱器と、この加熱器を制御する加熱器制御部と、前記オゾン発生部でオゾンを発生させる量を制御するオゾン発生量制御部とを備え、前記加熱器制御部は、前記オゾン発生量制御部で前記オゾンの発生を行わないように制御したときに、前記加熱器を加熱して前記除湿部内の湿気を除去するように構成されたことを特徴とする。
【発明の効果】
【００１２】
請求項１にかかる発明によれば、前記浄化装置は、オゾンを油分離器に放出する第一の放出部だけでなく、オゾンを大気中に排出する第二の放出部をも備えているため、前記油分離器だけでなく前記大気中に対してもオゾンを放出することが出来る。したがって、前記油分離器内の浄化作業を行う際に前記微生物等が大気中に飛散したとしても、これらの微生物を殺菌し、浄化することが可能となる。
【００１３】
さらに、前記放出量制御部によって前記前記第一の放出部と第二の放出部とから排出されるオゾン量の比率を制御することが出来るため、この放出量制御部によって前記油分離器及び大気中に放出されるオゾン量を適宜調節することにより、さらに効果的に前記油分離器及び大気中を浄化することが可能となる。
【００１４】
請求項２にかかる発明によれば、前記放出量制御部は、前記オゾンを前記油分離器に対し放出した後に、前記オゾンを前記外気に対し放出するように切り替える構成とされているため、前記油分離器内を浄化した後に前記大気中を浄化することが出来る。したがって、前記油分離器内の浄化作業を行う際に前記微生物等が大気中に飛散したとしても、これらの微生物を殺菌し、浄化することが可能となる。
【００１５】
請求項３にかかる発明によれば、前記浄化装置には前記オゾンの放出を補助する送風部が設けられているため、前記油分離器及び前記外気中へのオゾンの放出をより確実に行うことが出来る。さらに、この送風部により前記油分離器内及び前記外気中に前記オゾンを拡散させるための流れを作出することが出来るため、より有効な浄化効果を得る事が可能となる。
【００１６】
請求項４にかかる発明によれば、前記オゾンの発生は、オゾン発生部に備えられた放電部によって放電されることにより行われ、この放電が行われる空気は、予め前記除湿機により除湿されているため、前記放電の際、空気中に含まれる水分によって前記放電部を痛めることを阻止できる。したがって、前記浄化装置の耐久性を向上させることが可能となる。
【００１７】
なお、前記除湿部内での除湿を継続することにより、前記除湿部内の湿気が多くなり、前記除湿部の除湿機能は徐々に低下するのが一般的であるが、請求項５にかかる発明によれば、前記加熱器を加熱して前記除湿部内の湿気を除去することが出来るため、前記除湿部の除湿機能が低下することを阻止することができる。さらに、前記加熱器制御部は、前記オゾン発生量制御部で前記オゾンの発生を行わないように制御したときに、前記加熱器を加熱して前記除湿部内の湿気を除去するように構成されているため、前記除湿部内の除湿を前記オゾンを発生させない時間を用いて行うことが出来るため、より効率よく前記除湿部内の除湿を行うことが出来る。
【発明を実施するための最良の形態】
【００１８】
本発明の実施の形態につき、図１〜図５を用いて説明する。図１に示すとおり、浄化装置１は、オゾンを発生させる装置本体１０と、排水中に含まれる油分を分離するグリストラップ２０（油分離器）に装置本体１０で発生させたオゾンを含む空気を放出する放出管３０（第一の放出部）と、放出管３０に存在する気体をグリストラップ２０に放出するのを補助する送風機４０（送風部）と、装置本体１０内に組み込まれて浄化装置１の作動を制御する制御部５０（図３参照：放出量制御部、加熱器制御部、オゾン発生量制御部）とを備えている。そして、浄化装置１及びグリストラップ２０は、通常、厨房等の室内に設置されている。
【００１９】
装置本体１０は、図２に示すとおり、その正面には、電源スイッチ１１１と、タイマー１１２と、オゾンを発生させた累計時間を計測するカウンター１１３と、装置本体１０で発生させたオゾンを室内の大気中に排出する正面排気口１１４（第二の放出部）とを有している。また、側面には、装置本体１０で発生させたオゾンを放出管３０を介してグリストラップ２０に排出する側面排気口１１５（第一の放出部）を有し、裏面には、装置本体１０内部に気体を吸気するための吸気口１１６（図３参照）を有している。
【００２０】
さらに、装置本体１０の内部には、図３に示すとおり、活性炭フィルター１２１と、活性炭フィルター１２１の下流側に配置されているポンプ１２２と、ポンプ１２２から吸入された空気を除湿するための除湿部１２３と、オゾンを発生させるオゾナイザー１２４と、オゾナイザー１２４から排出されたオゾンを含んだ空気の流れを調節する電磁弁１２５と、前記オゾンを含んだ空気を正面排気口１１４から排出するのを補助する送風機１２６（送風部）と、既述の制御部５０とを備えている。
【００２１】
活性炭フィルター１２１は、吸気口１１６付近に配置され、吸気口１１６から吸入される空気と接触することにより、この空気に含まれるオゾンを除去する。
【００２２】
ポンプ１２２は、バキュームポンプであって、このポンプ１２２を作動させることにより吸気口１１６から装置本体１０内部に空気を吸入する。
【００２３】
除湿部１２３は、その内部に吸湿材を備え、この吸湿材が空気中の水分を吸収することにより、オゾナイザー１２４内に導入される空気の湿気を除去する。さらに、除湿部１２３内部には、ヒーター１２７を備え、このヒーター１２７を作動させることにより吸湿材を乾燥させ、前記吸湿材の湿気を除去することが可能となっている。
【００２４】
オゾナイザー１２４は、除湿部１２３から導入された空気中に放電を行う放電部１２８を備え、この放電部１２８で放電を行うことによりオゾンを発生させる。
【００２５】
電磁弁１２５は、オゾナイザー１２４より下流側に設置され、この電磁弁１２５を作動させることにより、オゾナイザー１２４で発生させたオゾンを含む空気を正面排気口１１４から放出させるか、側面排気口１１５から放出させるかを切り替えることが可能となっている。この電磁弁１２５は、電気が供給されているときには前記空気を側面排気口１１５側に放出させ、電気が供給されていないときには前記空気を正面排気口１１４側に放出させる。
【００２６】
送風機１２６は、正面排気口１１４付近に設置され、この送風機１２６を作動させることにより、正面排気口１１４から前記オゾンを含んだ空気を排出することを補助する。
【００２７】
制御部５０は、ＣＰＵ等のような演算機能を有するものからなり、ポンプ１２２、電磁弁１２５、送風機１２６、放電部１２８、送風機４０に接続され、これらの部品を適宜制御する。
【００２８】
グリストラップ２０は、図１に示すとおり、略直方体の容器状に形成され、その内部には、仕切壁２０ａ、２０ｂで三つの空間、すなわち第一〜第三浄化槽２１、２２、２３が形成されている。また仕切壁２０ａ、２０ｂの下部には各々開口部２０ｃ、２０ｄが形成されている。すなわち、第一浄化槽２１と第二浄化槽２２とは開口部２０ｃで連通されており、第二浄化槽２２と第三浄化槽２３とは開口部２０ｄで連通されている。さらに、第一浄化槽２１の上部には、厨房等からの排水が導入される導入管２４が配置されるとともに、第一浄化槽２１の内部には、排水中に含まれるゴミ等を受けるネット２５が配置され、第三浄化槽２３の底部には、この第三浄化槽２３に貯留された排水を下水道等に排水する排水管２６が配置されている。
【００２９】
かかる構造のグリストラップ２０によれば、厨房等からの排水は、導入管２４を通り、第一浄化槽２１、第二浄化槽２２、第三浄化槽２３を経て排水管２６から下水道に排水される。かかる経路を経ている間に、前記排水中に含まれる油Ｙが第一浄化槽２１及び第二浄化槽２２の上面に浮上し、前記排水から油Ｙが分離される。
【００３０】
放出管３０は、側面排気口１１５と送風機４０とを接続する第一放出管３１と、一端が送風機４０に接続されるとともに他端がグリストラップ２０内部に入れられている第二放出管３２と、第二放出管３２の途中に配置されてこの第二放出管３２を分岐する分岐部３３とを備えている。
【００３１】
第二放出管３２は、送風機４０と分岐部３３とを接続する基端管３２ａと、一端が分岐部３３に接続されるとともに他端がグリストラップ２０内に入れられる三個の先端管３２ｂ、３２ｃ、３２ｄとを備えている。そして、各々の先端管３２ｂ、３２ｃ、３２ｄの先端は、夫々第一浄化槽２１、第二浄化槽２２、第三浄化槽２３の内部に入れられている。
【００３２】
以上の構成によれば、図３に示すとおり、ポンプ１２２により吸気口１１６から装置本体１０内に吸入された空気は、活性炭フィルター１２１、ポンプ１２２、除湿部１２３、オゾナイザー１２４を経てオゾンを含む空気となる。さらに、電磁弁１２５によって、このオゾンを含む空気が正面排気口１１４から放出されるか側面排気口１１５から放出されるかが切り替えられる。正面排気口１１４から装置本体１０外部に排出される場合においては、送風機１２６を経た後にこの正面排気口１１４から前記オゾンを含む空気が大気中に放出され、側面排気口１１５から排出される場合においては、第一放出管３１、送風機４０、第二放出管３２を経てグリストラップ２０内に前記オゾンを含む空気が放出される。
【００３３】
次に、図４を用いてこの浄化装置１の配線状況について説明する。
【００３４】
電源Ｖｓは、交流電源であり、この電源Ｖｓの端子間に電源スイッチ１１１と、第一スイッチＳＷ１と、第二スイッチＳＷ２と、放電部１２８とが直列に繋がった回路が接続されている。
【００３５】
また、第二スイッチＳＷ２及び放電部１２８と並列に、第四スイッチＳＷ４とヒーター１２７とが直列に繋がった回路、ポンプ１２２が配置された回路、及び、送風機１２６が配置された回路が接続されている。
【００３６】
さらに放電部１２８と並列にカウンター１１３が接続され、放電部１２８の作動時間、すなわちオゾナイザー１２４の作動時間の累計を計測できるようになっている。また、放電部１２８と並列に、第三スイッチＳＷ３と電磁弁１２５とが直列につながった回路が接続され、さらに電磁弁１２５と並列に送風機４０が接続されている。
【００３７】
次に、図５を用いてこの浄化装置１の動作につき説明する。
【００３８】
まず、電源スイッチ１１１をオンにし、タイマー１１２等により、三つの時間Ｔ１、Ｔ２、Ｔ３を設定する。このとき、第一〜第三スイッチＳＷ１、ＳＷ２、ＳＷ３がオンとなっており、第四スイッチＳＷ４がオフとなっている。
【００３９】
かかる状態においては、放電部１２８、カウンター１１３、ポンプ１２２、送風機１２６が作動されるとともに、電磁弁１２５及び送風機４０も作動する。すなわち、ポンプ１２２を介して吸気口１１６から装置本体１０内部に空気が供給され、この空気を利用してオゾナイザー１２４内で放電部１２８によりオゾンを発生させ、このオゾンを含む空気は、電磁弁１２５、側面排気口１１５、送風機４０、第二放出管３２を経てグリストラップ２０へと排出される。
【００４０】
前記動作を行ってからＴ１の時間が経過すると、制御部５０からの制御信号により第三スイッチＳＷ３がオフとなり、それに伴い電磁弁１２５及び送風機４０の動作が停止する。すなわち、前記オゾンを含む空気は、電磁弁１２５、送風機１２６を介して、正面排気口１１４から室内の大気中に放出される。
【００４１】
さらに、動作開始からＴ２の時間が経過すると、制御部５０からの制御信号により第二スイッチＳＷ２がオフとなるとともに第四スイッチＳＷ４がオンとなり、放電部１２８及びカウンター１１３の動作が停止されるとともに、ヒーター１２７が加熱される。すなわち、ヒーター１２７によって、除湿部１２３内の吸湿材に含まれる水分が蒸発し、この蒸発した水分は、ポンプ１２２を介して装置本体１０内部に供給された空気により、オゾナイザー１２４、電磁弁１２５、送風機１２６を介して正面排気口１１４から排出される。かかる動作を行うことにより、除湿部１２３内の吸湿材の湿気を除去し、前記吸湿材の吸湿能力を回復させる。またさらに、かかる場合においては、オゾナイザー１２４内でオゾンが発生されず、しかも、活性炭フィルター１２１によって吸気口１１６から吸気される空気中に含まれるオゾンが分解されるため、室内に含まれるオゾンを分解することを促進することになる。
【００４２】
さらに、動作開始からＴ３の時間が経過すると、制御部５０からの制御信号により第一スイッチＳＷ１及び第四スイッチＳＷ４がオフとなり、ポンプ１２２及び送風機１２６の動作が停止されるとともに、ヒーター１２７の加熱も停止する。
【００４３】
以上の構成によれば、オゾンを含む空気は、グリストラップ２０だけでなく、室内の大気中に対してもオゾンを放出することが出来る。さらに、制御部５０及び電磁弁１２５で、前記オゾンを含む空気をグリストラップ２０に対し放出した後に、この空気を室内の大気中に放出するように切り替える構成とされているため、グリストラップ２０内を浄化した後に室内を浄化することが出来る。したがって、グリストラップ２０内の浄化作業を行う際に微生物等が室内の大気中に飛散したとしても、これらの微生物を殺菌して浄化することが可能となり、より確実に浄化効果を得ることが可能となる。
【００４４】
また、前記オゾンを含む空気を正面排気口１１４から放出することを補助する送風機１２６と、前記空気をグリストラップ２０に放出することを補助する送風機４０とを備えているため、グリストラップ２０及び室内の大気中へのオゾンの放出をより確実に行うことが出来る。さらに、この送風機１２６の存在により前記室内の大気中に前記オゾンを拡散させるための流れを作りだすことが出来るとともに、前記送風機４０の存在によりグリストラップ２０内にオゾンを拡散させるための流れを作出することが出来、より有効な浄化効果を得る事が可能となる。
【００４５】
また、オゾナイザー１２４内に導入される空気は、除湿部１２３で予め湿気が除去されているため、オゾンを発生させるために放電部１２８を作動させたときに、空気中に含まれる水分によって、この放電部１２８を痛めることを阻止できる。したがって、この浄化装置１の耐久性を向上させることが可能となる。
【００４６】
なお、除湿部１２３内の吸湿材は、空気中の水分を吸収するに伴いその除湿機能は低下していくが、本実施形態の構成によれば、ヒーター１２７を加熱して前記吸湿材の湿気を除去することができるため、除湿部１２３における除湿機能が低下することを阻止することができる。
【００４７】
また、ヒーター１２７の加熱は、オゾナイザー１２４内でオゾンを発生させないとき行うため、除湿部１２３内の除湿をオゾンを発生させない時間を用いて行うことが出来、より効率よくこの除湿部１２３内の除湿を行うことが出来る。
【００４８】
以上、本発明の実施形態について説明したが、本発明の具体的構成は前記実施形態に限定されず、特許請求の範囲内で種々変更可能である。以下、他の実施形態について例示する。なお、以下に記載した実施形態において、前記実施形態と同構成のものについては、同一符号を付するのみとし、その詳細な説明は省略する。
【００４９】
その他実施形態
（一）  制御部５０及び電磁弁１２５は、必ずしも、前記オゾンを含む空気を側面排気口１１５から放出した後に、前記オゾンを含む空気を正面排気口１１４から放出するように切り替える構成とする必要はなく、先に正面排気口１１４から放出した後に、側面排気口１１５から放出する構成にしてもよい。もっとも、前記第一実施形態のように、先に前記オゾンを含む空気を側面排気口１１５から放出した後に、正面排気口１１４から放出するように構成するほうが、浄化効果を向上させる点においてはより好ましい。
【００５０】
（二）  制御部５０及び電磁弁１２５は、必ずしも、前記正面排気口１１４からの放出と側面排気口１１５からの放出とを択一的に切り替える必要はなく、例えば、両方同時に放出することを可能とし、正面排気口１１４から放出される量と側面排気口１１５から放出される量との比率を適宜調節可能なように構成してもよい。かかる構成を採ると、前記比率を好適な状態に適宜調節することができ、より効果的に室内及びグリストラップ２０の浄化効果を得ることが可能となる。
【００５１】
（三）  本実施形態においては、グリストラップ２０を室内に設置したものについて説明しているが、必ずしもグリストラップ２０を室内に配置した場合のみに適用可能とするものではなく、グリストラップ２０を屋外に配置した場合においても適用可能である。
【図面の簡単な説明】
【００５２】
【図１】本発明の浄化装置の一実施形態にかかる概略を示した側面図である。
【図２】本発明の浄化装置の一実施形態にかかる装置本体の概略を示した正面図である。
【図３】本発明の浄化装置の一実施形態にかかるブロック図である。
【図４】本発明の浄化装置の一実施形態にかかる配線図である。
【図５】本発明の浄化装置の一実施形態にかかるタイムチャートである。
【符号の説明】
【００５３】
１      浄化装置
２０    グリストラップ（油分離器）
３０    放出管（第一の放出部）
４０    送風機（送風部）
５０    制御部（放出量制御部、加熱器制御部、オゾン発生量制御部）
１１４  正面排気口（第二の放出部）
１２３  除湿部
１２４  オゾナイザー（オゾン発生部）
１２５  電磁弁（放出量制御部）
１２６  送風機（送風部）
１２７  ヒーター（加熱器）
１２８  放電部
【図１】
2005246354.tif 000003
【図２】
2005246354.tif 000004
【図３】
2005246354.tif 000005
【図４】
2005246354.tif 000006
【図５】
2005246354.tif 000007